(57)【特許請求の範囲】
【請求項１】
シリンダー錠（９）と錠ケース（８）とからなり、シリンダー錠（９）が錠ケース（８）のソケット部（２１）に内嵌固定されるシリンダー錠の取付構造であって、
シリンダー錠（９）は、外端面に鍵穴（１６）を有し、奥端の外周面に取付用の係合部（１８）を備えており、
ソケット部（２１）の周壁の一部に、前記係合部（１８）を露出させる窓（２５）が開口しており、
ソケット部（２１）の外面に装着したロック体（３０）の一部を前記係合部（１８）と係合させて、シリンダー錠（９）がロック体（３０）で抜け外れ不能に固定保持されており、
シリンダー錠（９）の奥端の外周面に、取付用のねじ部（１７）と位置決め用の係合部（１８）とが設けられており、
ロック体（３０）が、ソケット部（２１）の外郭線に沿う部分筒壁で形成されており、
ロック体（３０）の内面に、シリンダー錠（９）の係合部（１８）に係合して、シリンダー錠（９）を回転不能に固定保持する係合片（３５）と、シリンダー錠（９）のねじ部（１７）に噛み合って、シリンダー錠（９）の抜け外れを阻止する部分ねじ（３４）とが形成されていることを特徴とするシリンダー錠の取付構造。
【請求項２】
シリンダー錠（９）の奥端の外周面に係合部（１８）が凹み形成されており、
ロック体（３０）の内面に、前記係合部（１８）と係合する係合片（３５）が設けてある請求項１記載のシリンダー錠の取付構造。
【請求項３】
ロック体（３０）の周方向の両端が、ソケット部（２１）にボルト（３１）で固定される請求項１または２記載のシリンダー錠の取付構造。  
【発明の詳細な説明】
【０００１】
【発明の属する技術分野】
シリンダー錠は、ドアなどに対して錠ケースを介して装着される。本発明は、シリンダー錠を錠ケースに対して簡単に取り付けるためのシリンダー錠の取付構造に関する。
【０００２】
【従来の技術】
錠本体の一端周面に取付用のねじ部と、位置決め用の係合溝とを設けたシリンダー錠が市販されている。この種のシリンダー錠は、錠ケースのソケット部に先のねじ部をねじ込んだ後、ソケット部の外面からロックビスをねじ込み、そのねじ軸端を係合溝に係合することにより、シリンダー錠を抜き外し回転不能に固定している。ロックビスに換えて、ソケット部に打ち込んだピンで、シリンダー錠を回転不能に固定することもある。
【０００３】
【発明が解決しようとする課題】
上記のように、シリンダー錠の全体をソケット部にねじ込み、さらにビスやピンで回転不能に固定する取付構造では、シリンダー錠と錠ケースの組み立てに多くの手間を要する。また、ソケット部の内面にねじ加工を施す必要があるので、その分だけ錠ケースの製造コストが高く付く。ロックビスやピンを組む場合には、係合溝の位置をロックビス用のねじ穴や、ピン穴と正確に位置合わせする必要があるが、係合溝の位置を適切に位置合わせすることが難しい。多くの場合は、錠本体の外端面に刻印された、メーカー名やマークを基準にして位置合わせを行うが、その場合でも作業者の勘に頼らざるを得ず、正確さに欠ける。
【０００４】
本発明の目的は、シリンダー錠の錠ケースに対する組み付けが、簡単にしかも適切に行えるようにすることにある。本発明の他の目的は、シリンダー錠の交換が簡便に行え、従って不正にこじ開けられたシリンダー錠の交換等が、より少ない手間で簡単に行えるようにすることにある。
【０００５】
【課題を解決するための手段】
本発明のシリンダー錠の取付構造は、図２に示すごとくシリンダー錠９と錠ケース８とからなり、シリンダー錠９が錠ケース８のソケット部２１に内嵌固定される。シリンダー錠９は、図３に示すごとく外端面に鍵穴１６を有し、奥端の外周面に取付用の係合部１８を備えている。ソケット部２１の周壁の一部には、図１に示すごとく前記係合部１８を露出させるための窓２５が開口している。かくして、ソケット部２１の外面に装着したロック体３０の一部を前記係合部１８と係合させることにより、シリンダー錠９をロック体３０で抜け外れ不能に固定保持する。シリンダー錠９の奥端の外周面には、図３に示すごとく取付用のねじ部１７と位置決め用の係合部１８とを設ける。ロック体３０は、ソケット部２１の外郭線に沿う部分筒壁で形成する。ロック体３０の内面には、シリンダー錠９の係合部１８に係合して、シリンダー錠９を回転不能に固定保持する係合片３５と、シリンダー錠９のねじ部１７に噛み合って、シリンダー錠９の抜け外れを阻止する部分ねじ３４とを形成する。
【０００６】
具体的には、図３に示すごとくシリンダー錠９の奥端の外周面に係合部１８を凹み形成し、ロック体３０の内面に前記係合部１８と係合する係合片３５を設ける。
【０００８】
ロック体３０の周方向の両端は、ソケット部２１にボルト３１で固定することができる。
【０００９】
【発明の作用効果】
シリンダー錠９を錠ケース８に取り付ける場合には、錠本体１５を錠ケース８のソケット部２１に差し込んだ後、錠本体１５に設けた係合部１８を窓２５から露出させて位置合わせを行う。この状態で、ソケット部２１にロック体３０を装着し、ロック体３０の一部を係合部１８と係合させて、シリンダー錠９を固定保持する。このように、本発明の取付構造によれば、シリンダー錠９をソケット部２１に差し込み装填し、ロック体３０をソケット部２１に装着固定するだけで、シリンダー錠９の組み付けを終了できるので、従来の錠取付構造に比べて、より少ない手間で簡単にシリンダー錠９を錠ケース８に組むことができる。ソケット部２１の内面に雌ねじを形成する必要もない。
【００１０】
シリンダー錠９の係合部１８は、突起と凹部のいずれであってもよいが、図３に示すごとく係合部１８を凹み形成した場合には、ソケット部２１の内面の断面形状を単純化できるので、例えば錠ケース８をダイキャスト成形する場合や、プレス成形する場合の成形用金型の構造を簡素化できる。ロック体３０の内面に設けた係合片３５は、シリンダー錠９の係合部１８に嵌まり込んで、シリンダー錠９がソケット部２１の内部で回転し、あるいはソケット部２１から抜け出るのを防止する。
【００１１】
市販されているシリンダー錠９には、取付用のねじ部１７と位置決め用の係合部１８とが形成してあり、係合部１８の形態には二つの種類がある。そのひとつは、係合部１８が錠本体１５の外周面でのみ開口する凹み穴として形成してあり、他のひとつは、係合部１８が錠本体１５の中心軸線に沿って周面奥端まで達する溝として形成してある。前者の係合部１８の場合には、ロック体３０の内面に設けた係合片３５を係合部１８に係合させるだけで、シリンダー錠９を回転不能に、さらに抜け外れ不能に固定できる。しかし、後者の係合部１８は溝状に形成してあるので、ロック体３０の係合片３５を係合部１８に係合しても、シリンダー錠９の回転は阻止できるものの、シリンダー錠９がソケット部２１から抜け出るのを阻止できない。このようなシリンダー錠９の抜け出しを防ぐためにロック体３０に部分ねじ３４を設け、部分ねじ３４をシリンダー錠９のねじ部１７に噛み合わせて、ソケット部２１の内面におけるシリンダー錠９の内外方向への移動を阻止している。
【００１２】
ロック体３０をソケット部２１にボルト３１で固定すると、ボルト３１を弛めて、ロック体３０をソケット部２１から抜き出すだけの簡単な操作で、シリンダー錠９を錠ケース８から分離できる。従って、不正にこじ開けられたシリンダー錠９の交換等が、より少ない手間で簡単に行える。
【００１３】
【実施例】
図１ないし図７は、本発明に係るシリンダー状の取付構造の実施例を示す。図２において符号１はドア、２は錠取付部であって、錠取付部２の室内側に内側錠ユニットが固定され、錠取付部２の室外側に外側錠ユニットが固定される。内側錠ユニットは内ケース３内にデッドボルト４とトリガー５、および上下一対のロッド棒２８（図２参照）等を有し、内ケース３の外面に、デッドボルト４を出し入れ操作するサムターン６と、トリガー５を出し入れ操作する内ハンドル７等を設けてなる。外側錠ユニットは、錠ケース８と、錠ケース８に組み込まれるシリンダー錠９、およびトリガー５とロッド棒２８を室外から出し入れ操作する外ハンドル１０とからなる。シリンダー錠９とサムターン６とは、シリンダー錠９の錠軸１１に固定したサムターン軸１２を介して連動可能に連結され、外ハンドル１０と内ハンドル７とはハンドル軸１３を介して連動可能に連結されている。
【００１４】
図３においてシリンダー錠９は市販の錠であって、錠本体１５の内部に、外筒、内筒、ウォード、タンブラー等が組み込んである。錠本体１５の外端面には鍵穴１６が開口しており、奥端の外周面に取付用のねじ部１７と、位置決め用の係合部１８とがそれぞれ形成してある。係合部１８は錠本体１５の外周面に形成した四角形状の凹部からなり、先のねじ部１７の一部を分断している。鍵穴１６まわりにはメーカー表示１９が刻印してあり、メーカー表示１９の中心からそれぞれ９０度づつ位置ずれた外周面の２箇所に前記係合部１８が形成されている。
【００１５】
錠ケース８は縦長板状のダイキャスト成形品からなり、その上部にシリンダー錠９を装着するためのソケット部２１を設け、ソケット部２１の下方に図２に示すごとくハンドルボス２２が設けられている。２３はソケット部２１を開閉する蓋である。ソケット部２１は円筒状に形成してあり、その奥端内面には図１に示すごとくシリンダー錠９の差し込み限界を規定する鍔部２４が張り出し形成されている。この鍔部２４を含むソケット部２１の奥端周面に、先の係合部１８のひとつを露出させる窓２５が切り欠き形成されており、鍔部２４の上下の切欠面を利用してねじ穴２６が形成されている。
【００１６】
ソケット部２１に差し込み装填したシリンダー錠９を固定するために、先の窓２５の外面にロック体３０を装着する。図１においてロック体３０はソケット部２１の外郭線に沿う部分筒壁を有するダイキャスト成形品からなり、その上下にボルト３１用の締結座３２を設け、締結座３２のそれぞれに挿通孔３３を設けてある。図３においてロック体３０の筒壁内面には、シリンダー錠９のねじ部１７と噛み合う部分ねじ３４と、係合部１８に嵌まり込む係合片３５とがそれぞれ形成されている。部分ねじ３４のピッチと呼び径は、ねじ部１７のピッチと呼び径に一致している。係合片３５は係合部１８より一回り小さな四角形状の突起からなり、係合部１８に対して僅かな隙間を介して係合できる。筒壁の内面一端には、先の鍔部２４に連続する部分鍔部３６が張り出してある。
【００１７】
シリンダー錠９を錠ケース８に組む場合には、図１に示すように錠軸１１の側を差し込み始端にして錠本体１５をソケット部２１に差し込み、錠本体１５の周面に設けた係合部１８を窓２５に露出させる。この状態でロック体３０を窓２５に被せつけて、図４に示すように係合片３５を係合部１８に係合し、部分ねじ３４をねじ部１７に噛み合わせる。最後に、図６に示すようにボルト３１を挿通孔３３を介してねじ孔２６にねじ込んで、ロック体３０をソケット部２１に固定する。この固定状態においては、係合片３５が係合部１８に係合してシリンダー錠９の回転と、ソケット部２１からの抜け出しとを阻止しており、さらに部分ねじ３４がねじ部１７に噛み合ってシリンダー錠９の抜け出しを阻止している。因みに、係合片３５と係合部１８とが係合することで、シリンダー錠９は回転不能に、かつ抜け出し不能に固定できるが、市販のシリンダー錠９には、図７に示すように係合部１８が錠本体１５の中心軸線に沿って周面奥端まで達する溝として形成した形式があり、この場合にもシリンダー錠９を抜け出し不能に固定するために、ロック体３０に部分ねじ３４が設けられている。つまり、この実施例のロック体３０は、係合部１８の形態が異なるシリンダー錠９に対して共用できる。
【００１８】
上記のように、ロック体３０には、少なくとも係合部１８と係合する係合片３５を設けておけば足りる。また、シリンダー錠９側の係合部１８が突起である場合には、ソケット部２１の内面に突起を受け入れる溝を設けて回り止めを図ることができるので、ロック体３０には先の突起と係合する係合凹部か、突起を受け止めて抜け出しを防ぐ係合片かを設ければよい。新たにシリンダー錠９を形成する場合には、ロック体３０でシリンダー錠９を固定するので、取付用のねじ部１７を錠本体１５に設ける必要がなく、従って錠本体１５の断面形を四角形や楕円形など、非円形断面に形成することができる。上記の実施例では窓２５を筒壁の概ね半分ほどの大きさに開口したが、この窓２５は係合片３５が入り込むだけの大きさがあればよい。ロック体３０はソケット部２１の筒壁外面に装着してあればよく、必ずしも窓２５を塞ぐ形状である必要はない。ロック体３０はソケット部２１に対してピンやリベットで固定してあってもよい。
【００１９】
本発明のシリンダー錠の取付構造は、建物や車両などのドア錠以外の錠、例えば函体の開閉蓋の錠等にも適用できる。
【図面の簡単な説明】
【図１】シリンダー錠の取付構造を示す分解斜視図
【図２】ドア錠の分解側面図
【図３】シリンダー錠とロック体とを示す斜視図
【図４】図５におけるＡ−Ａ線断面図
【図５】ドア錠の縦断側面図
【図６】ロック体の固定構造を示す断面図
【図７】シリンダー錠の斜視図
【符号の説明】
８  錠ケース
９  シリンダー錠
１６  鍵穴
１７  ねじ部
１８  係合部
２１  ソケット部
２５  窓
３０  ロック体
３４  部分ねじ
３５  係合片
【図１】
0004679754.tif 000002
【図２】
0004679754.tif 000003
【図３】
0004679754.tif 000004
【図４】
0004679754.tif 000005
【図５】
0004679754.tif 000006
【図６】
0004679754.tif 000007
【図７】
0004679754.tif 000008